(57)【特許請求の範囲】
【請求項１】
上ケース（１ａ）と下ケース（１ｂ）とで構成されるケース本体（１）の内部に、テープ（３）を巻装した１個のリール（２）が配置されており、
ケース本体（１）の周側壁に、ドア（９）で開閉されるテープ引出口（４）が開口されており、
テープ引出口（４）の内方において、テープ（３）の繰り出し端に連結した引出ピン（５）が保持機構（６）で待機保持されるようになっており、
テープ引出口（４）に隣接する上下ケース（１ａ・１ｂ）の横側壁の内面には、互いに係合して上下ケース（１ａ・１ｂ）の横側壁が上下に分離するのを阻止する係合爪（１７）と係合凹部（１８）とが設けられており、
係合爪（１７）は、上下ケース（１ａ・１ｂ）の接合面を越えて突出しており、
突出したその端に設けられた爪片（２０）が、係合凹部（１８）と係合しており、
係合凹部（１８）がある側の横側壁の内面に、規制リブ（１９）が上下ケース（１ａ・１ｂ）の接合面を越えて突設されており、
規制リブ（１９）が、係合爪（１７）に隣接していて、係合爪（１７）と係合凹部（１８）との係合解除方向の動きを規制していることを特徴とする単リール型の磁気テープカートリッジ。
【請求項２】
係合爪（１７）を間に挟む状態で前後一対の規制リブ（１９・１９）が突設されている請求項１記載の単リール型の磁気テープカートリッジ。  
【発明の詳細な説明】
【０００１】
【発明の属する技術分野】
本発明は、磁気テープの繰り出し端に連結した引出ピンをテープドライブ側のピン捕捉機構で掛止捕捉して引き出し操作する形態の単リール型の磁気テープカートリッジに関する。
【０００２】
【従来の技術】
この種の磁気テープカートリッジ（以下、単にテープカートリッジという）は、特開平１１−２３２８２７号公報に公知である。そこでは図４に示すように、ケース本体３０の前隅にテープ引出口３１を開口し、テープ引出口３１の内面内方において、テープ３２の繰り出し端に連結した引出ピン３３の上下両端を、ケース本体３０と一体に成形した軸受部３４で係合保持できるようにしている。テープ引出口３１は、テープドライブ側に設けたフック状のピン捕捉機構の進入を許すために大きく開口してあって、ケース前壁に沿ってスライドするドア３５で開閉できる。
【０００３】
【発明が解決しようとする課題】
かかるテープカートリッジにおいては、ケース本体３０の上下ケースを締結するためのねじの配置に関して制約がある。基本的には、ケース形状が正方形に近いので、ケース四隅をねじで締結すれば足りる。しかし、テープ引出口が開口される隅部内方には、先のピン捕捉機構が進入してくるので、そこにねじを配置できない。そのため従来は、テープ引出口の開放端側の内面にねじボスのひとつを設けて、テープ引出口の周辺の上下ケースを締結していた（図２参照）。
【０００４】
しかし、ケース前隅に開口面積の大きなテープ引出口を有するので、テープ引出口に臨むケース周側壁を先のねじの締結力で強固に締結するのが難しい。そのため、例えば他物との衝突や大きな落下衝撃が作用するような場合等に、テープ引出口に臨むケース周側壁が互いに分離変形し、引出ピンが軸受部から外れるおそれがあった。
【０００５】
本発明の目的は、テープ引出口に隣接するケース周側壁を、上ケースと下ケースとの間で互いに係合して補強し合うようにし、これにより落下衝撃などがケース周側壁に作用する場合にも、上下ケースの周側壁の分離や変形を防止して、引出ピンを常に適正な待機姿勢に保持でき、信頼性に優れた単リール型のテープカートリッジを提供することにある。本発明の目的は、係合爪と係合凹部とが係合を解除する向きの動きも同時に規制でき、上下ケースの変形等をさらに確実に防止することにある。本発明の目的は、テープ引出口に臨む上下ケースの周側壁を上下、左右、さらに前後へも変形不能に係合連結して、ケース周側壁を上ケースと下ケースとの間で強固に接合固定することにある。
【０００６】
【課題を解決するための手段】
本発明のテープカートリッジは、図２に示すごとくケース本体１の内部に、テープ３を巻装した１個のリール２が配置されている。ケース本体１の周側壁にドア９で開閉されるテープ引出口４が開口している。テープ引出口４の内方において、テープ３の繰り出し端に連結した引出ピン５が保持機構６で待機保持されるようになっている。テープ引出口４に隣接するケース本体１の周側壁には、互いに係合して上下ケース１ａ・１ｂの分離を阻止するための係合爪１７と係合凹部１８とを設ける。
【０００７】
具体的には、図３に示すごとく係合爪１７に隣接して、係合爪１７と係合凹部１８との係合解除方向の動きを規制する規制リブ１９を設ける。
【０００８】
ケース本体１を構成する上ケース１ａの横側壁の内面には、上下ケース１ａ・１ｂの接合面を越えて下方へ突出する係合爪１７を設ける。下ケース１ｂの内面には、係合爪１７と係合する係合凹部１８を設ける。下ケース１ｂの横側壁の内面の前後には、図３に示すごとく係合爪１７を間に挟む状態で規制リブ１９を設ける。その両リブ１９は、上下ケース１ａ・１ｂの接合面を越えて上向きに突設しておく。
【０００９】
【作用および発明の効果】
例えば上ケース１ａの周側壁の内面に設けた係合爪１７を、下ケース１ｂに設けた係合凹部１８に係合して、上下ケース１ａ・１ｂの上下方向の分離を阻止するので、落下衝撃を受けて上下ケース１ａ・１ｂの周側壁が変形するのを阻止できる。従って、本発明のテープカートリッジによれば、落下衝撃や他物との衝突によって、起立保持した引出ピン５が保持機構６から外れるのを防止し、引出ピン５を備えているこの種のテープカートリッジの信頼性を向上できる。
【００１０】
係合爪１７および係合凹部１８とは別に、これら両者１７・１８の係合解除方向の動きを規制する規制リブ１９を設けてあると、大きな外力が作用したとき、上下ケース１ａ・１ｂの周側壁の左右方向への変形を規制リブ１９で阻止できるので、係合爪１７が係合凹部１８から外れるのを確実に阻止して、引出ピン５を適正な待機姿勢に保持できる。係合爪１７を間に挟んで、その前後に規制リブ１９を配置すると、係合爪１７と係合凹部１８との係合状態をさらに確実に維持して、引出ピン５の保持機構６からの脱落を確実に防止できる。
【００１１】
【実施例】
図１ないし図３は本発明に係る単リール型のテープカートリッジの実施例を示す。図２においてテープカートリッジは、上ケース１ａと下ケース１ｂとで構成される角箱状のケース本体１を有し、その内部に配置したひとつのリール２にテープ３が巻装してある。ケース本体１の前隅の前面にテープ引出口４を開口し、その内面内方において、テープ３の繰り出し端に連結した引出ピン５を保持機構６で待機姿勢に保持できるようになっている。テープ引出口４は、ケース本体１の前壁に沿って左右方向にスライドするドア９で開閉できる。ドア９は図外のばねで閉じ勝手に移動付勢してある。
【００１２】
上下ケース１ａ・１ｂは、それぞれの内面に突設したねじボス７をねじ８で締結することによって一体化する。各ねじボス７は、リール２とケース本体１との間の三角形状の隅部に配置するが、テープ引出口４が開口してある隅部においては、テープドライブの捕捉機構がテープ引出口４からケース内へ進入して、引出ピン５を捕捉するので、該当箇所のねじボス７はテープ引出口４の開放端側（左側）の内面に設けてある。
【００１３】
図１において引出ピン５は、ステンレス製の旋削加工品からなり、上下両端のそれぞれに、先の保持機構６で係合保持される軸部１０と、テープドライブ側の捕捉機構で掛止捕捉される掛止軸部１１とを有し、上下の掛止軸部１１・１１間の軸周面に、テープ３の端が緩衝体を介してクランプ１２で連結してある。不使用時の引出ピン５を、位置決めし起立姿勢で保持固定するために、上ケース１ａの上壁内面と、下ケース１ｂの底壁内面とには、それぞれ保持機構６が設けられている。
【００１４】
図２および図３において保持機構６は、ケース内面に膨出形成した軸受部１４と、軸受部１４と協同して引出ピン５の軸部１０の周面を挟み保持する板ばね１５とからなり、板ばね１５が弾性変形することによって引出ピン５を出し入れ操作できる。板ばね１５はケース内面に溶着固定してある。
【００１５】
上記のように構成したテープカートリッジにおいては、テープ引出口４の開口面積が大きく、しかもテープ引出口４に隣接するケース本体１の周側壁の前部とねじボス７とが離れている。そのため、例えば落下衝撃を受けた場合に、ケース本体１の周側壁が変形しやすい。こうしたケース壁の変形を防ぐために、テープ引出口４に臨む上下ケース１ａ・１ｂの横側壁（図において右側壁）の前端側の内面には、互いに係合する係合爪１７と係合凹部１８とを設け、さらに係合爪１７の前後に一対の規制リブ１９を設けている。
【００１６】
図１および図３において係合爪１７は、上ケース１ａの側壁内面から、上下ケース１ａ・１ｂの接合面を越えて、下向きに突出してあり、その下端に係合凹部１８と係合する爪片２０が設けてある。係合凹部１８は下ケース１ｂの側壁を内外に貫通する状態で形成されている。これは、ケース外面側から爪片２０を押し込んで、係合爪１７と係合凹部１８との係合を解除し、上下ケース１ａ・１ｂの分解を容易化するためである。
【００１７】
上記のように、係合爪１７と係合凹部１８とで上下ケース１ａ・１ｂを結合することにより、両者１ａ・１ｂの横側壁が上下に分離するのを阻止できる。しかし、上下ケース１ａ・１ｂの横側壁に内外方向の逆向きの外力が作用すると、爪片２０と係合凹部１８との係合が解除されるおそれがある。こうした事態を防ぐために、下ケース１ｂの横側壁の内面に前後一対の規制リブ１９を上向きに突設し、両リブ１９を上ケース１ａの横側壁の内面に接当させている。つまり、規制リブ１９は、上ケース１ａの横側壁がケース内方へたわみ変形するのを規制し、同時に下ケース１ｂの横側壁がケース外方へたわみ変形するのを規制して、爪片２０と係合凹部１８との係合状態を維持し続ける。
【００２０】
上記の実施例以外に、係合凹部１８はケース内方へ向って開口する凹部として形成することができる。  
【図面の簡単な説明】
【図１】  テープ引出口の周辺構造を示す一部破断正面図である。
【図２】  テープカートリッジの内部構造を示す横断平面図である。
【図３】  テープ引出口の周辺構造を示す斜視図である。
【図４】  従来のケース構造を示す横断平面図である。  
【図１】
0003971789.tif 000002
【図２】
0003971789.tif 000003
【図３】
0003971789.tif 000004
【図４】
0003971789.tif 000005